(57)【要約】【課題】身体の前側へのフィット性を向上させることで、装着感に優れ、体液の漏れを抑制した吸収性物品を提供する。【解決手段】本体が、前後方向に所定の長さ及び当該前後方向と直交する方向に所定の幅を有する細長形状である吸収性物品であって、前記本体には、前記表面シート側から前記裏面シート側に窪む圧搾部が形成されており、前記圧搾部が、前記本体の前後方向に延びる前後方向中心線を対称軸として線対称に、且つ前後方向に延在するように形成された一対の前後方向圧搾部と、前記一対の前後方向圧搾部の前方に、前記前後方向中心線を対称軸として線対称に、且つ前方に向かって外側に広がるように形成された一対の斜方向圧搾部とを含み、前記斜方向圧搾部の後端が、幅方向で見て、前記前後方向圧搾部の内側に配置されている。【選択図】図１
2018166923.tif 000002
【特許請求の範囲】
【請求項１】
透液性の表面シートと、不透液性の裏面シートと、前記表面シートと前記裏面シートとの間に設けられた吸収体とを有する本体を備えた吸収性物品であって、
前記本体が、前後方向に所定の長さ及び当該前後方向と直交する方向に所定の幅を有する細長形状であり、
前記本体には、前記表面シート側から前記裏面シート側に窪む圧搾部が形成されており、
前記圧搾部が、
前記本体の前後方向に延びる前後方向中心線を対称軸として線対称に、且つ前後方向に延在するように形成された一対の前後方向圧搾部と、
前記一対の前後方向圧搾部の前方に、前記前後方向中心線を対称軸として線対称に、且つ前方に向かって外側に広がるように形成された一対の斜方向圧搾部とを含み、
前記斜方向圧搾部の後端が、幅方向で見て、前記前後方向圧搾部の内側に配置されている、吸収性物品。
【請求項２】
前記斜方向圧搾部の後端を通り且つ当該斜方向圧搾部に接する２つの仮想線によって形成される最大の角度を二分する線が、前記前後方向中心線に直交する直線に対して２５〜８０°の角度をなす、請求項１に記載の吸収性物品。
【請求項３】
前記一対の前後方向圧搾部の前方に、幅方向に延びる幅方向圧搾部が形成されており、
前記斜方向圧搾部が、前記一対の前後方向圧搾部及び前記幅方向圧搾部から離間している、請求項１又は２に記載の吸収性物品。
【請求項４】
前記斜方向圧搾部の前端が、幅方向で見て、前記前後方向圧搾部の内側に配置されている、請求項１から３のいずれか一項に記載の吸収性物品。
【請求項５】
前記一対の前後方向圧搾部の後方に、前記前後方向中心線を対称軸として線対称に、且つ後方に向かって外側に広がるように形成された一対の第２斜方向圧搾部が形成されており、
前記第２斜方向圧搾部の前端が、幅方向で見て、前記前後方向圧搾部の内側に配置されている、請求項１から４のいずれか一項に記載の吸収性物品。
【発明の詳細な説明】
【技術分野】
【０００１】
本発明は、吸収性物品に関する。
【背景技術】
【０００２】
従来、パンティライナー、生理用ナプキン、失禁パッド等の吸収性物品として、透液性の表面シートとの不透液性の裏面シートとの間に吸収体が設けられたものが知られている。このような吸収性物品としては、体液の漏れを抑制するためや装着時の違和感を軽減するために、身体の形状に沿うよう変形可能に構成されたものが知られている。
【０００３】
例えば、特許文献１には、略前後方向に沿って延在する弧状のサイド圧搾凹部が形成されるとともに、排泄位置の前側及び後側に略幅方向に沿って延在する弧状の前後方向圧搾凹部が形成された吸収性物品が開示されている。
【０００４】
また、特許文献２には、吸収体が、吸収体における平均曲げ剛性よりも曲げ剛性が低く、且つ隣接する領域よりも曲げ剛性が低い複数の第１折曲領域と、幅方向の中心線に交差するように形成され長手方向において所定幅を有する複数の第２折曲領域とを備えた吸収性物品が開示されている。
【先行技術文献】
【特許文献】
【０００５】
【特許文献１】特許第４５２１２６８号公報
【特許文献２】特許第５１７１６４３号公報
【発明の概要】
【発明が解決しようとする課題】
【０００６】
特許文献１の吸収性物品が両脚からの力を側方から受けた場合、その力はサイド圧搾凹部を介して前方の領域にも伝わる。しかしながら、特許文献１の吸収性物品は、そのような力によって前方の領域が湾曲するように構成されていないので、身体の前側における装着感を低下させる可能性がある。また、体液が急速に排出された場合等には、サイド圧搾凹部を伝って体液が漏れるおそれがある。
【０００７】
また、特許文献２の形態では、吸収体にスリットを設けることにより第１折曲領域及び第２折曲領域を形成しているが、これらのスリットは、吸収性物品の身体の前側へのフィット性を考慮したものではない。
【０００８】
上記の点に鑑みて、本発明は、身体の前側へのフィット性を向上させた吸収性物品を提供することを課題とする。
【課題を解決するための手段】
【０００９】
上記課題を解決するため、本発明の第一の形態は、透液性の表面シートと、不透液性の裏面シートと、前記表面シートと前記裏面シートとの間に設けられた吸収体とを有する本体を備えた吸収性物品であって、前記本体が、前後方向に所定の長さ及び当該前後方向と直交する方向に所定の幅を有する細長形状であり、前記本体には、前記表面シート側から前記裏面シート側に窪む圧搾部が形成されており、前記圧搾部が、前記本体の前後方向に延びる前後方向中心線を対称軸として線対称に、且つ前後方向に延在するように形成された一対の前後方向圧搾部と、前記一対の前後方向圧搾部の前方に、前記前後方向中心線を対称軸として線対称に、且つ前方に向かって外側に広がるように形成された一対の斜方向圧搾部とを含み、前記斜方向圧搾部の後端が、幅方向で見て、前記前後方向圧搾部の内側に配置されている。
【００１０】
上記第一の形態によれば、吸収性物品の前方において、前方に向かって外側に広がるように形成された一対の斜方向圧搾部が形成されている。そして、この斜方向圧搾部の後端が、幅方向で見て、前後方向圧搾部の内側に配置されているため、吸収性物品が両脚（両腿）からの力を両側から受けたとき、その力を利用して、斜方向圧搾部の後端を起点として吸収性物品の前方の領域を変形させることができる。これにより、吸収性物品の前方の領域を、身体の前側に良好にフィットさせることができ、快適な装着感を向上させることができる。
【００１１】
また、上述のように吸収性物品の前方領域のフィット性が向上するため、本体を身体の前側により良好に密着させることができる。これにより、体液の漏れを防止することができる。
【００１２】
本発明の第二の形態では、前記斜方向圧搾部の後端を通り且つ当該斜方向圧搾部に接する２つの仮想線によって形成される最大の角度を二分する線が、前記前後方向中心線に直交する直線に対して２５〜８０°の角度をなす。
【００１３】
上記第二の形態によれば、斜方向圧搾部が所定の角度で配置されているので、吸収性物品の前方の領域を、身体の前側の丸みに沿って一層良好に変形させることができる。
【００１４】
本発明の第三の形態では、前記一対の前後方向圧搾部の前方に、幅方向に延びる幅方向圧搾部が形成されており、前記斜方向圧搾部が、前記一対の前後方向圧搾部及び前記幅方向圧搾部から離間している。
【００１５】
上記第三の形態によれば、一対の前後方向圧搾部の前方に幅方向圧搾部が形成されていることで、前方領域を身体の前側へ向けて曲げることがより容易になり、体液の前方への漏れも防止することができる。また、斜方向圧搾部が前後方向圧搾部及び幅方向圧搾部から離間していることで、体液が大量に排出された場合等でも、前後方向圧搾部や幅方向圧搾部を伝って体液が漏れることをより確実に防止することができる。
【００１６】
本発明の第四の形態では、前記斜方向圧搾部の前端が、幅方向で見て、前記前後方向圧搾部の内側に配置されている。
【００１７】
上記第四の形態によれば、斜方向圧搾部の前端も前後方向圧搾部の内側に配置されているため、前方側部において斜方向圧搾部が肌に当たる部分を低減することができるので、違和感が低減され、快適な装着感を高めることができる。
【００１８】
本発明の第五の形態では、前記一対の前後方向圧搾部の後方に、前記前後方向中心線を対称軸として線対称に、且つ後方に向かって外側に広がるように形成された一対の第２斜方向圧搾部が形成されており、前記第２斜方向圧搾部の前端が、幅方向で見て、前記前後方向圧搾部の内側に配置されている。
【００１９】
上記第五の形態によれば、前方の領域に加えて、後方の領域においても、斜方向圧搾部が設けられていることで、後方においても身体の丸みに沿った変形が可能となる。これにより、吸収性物品全体の身体へのフィット性を高めることができる。
【発明の効果】
【００２０】
本発明の一形態によれば、身体の前側へのフィット性を向上させた吸収性物品を提供することができる。
【図面の簡単な説明】
【００２１】
【図１】本発明の一形態による吸収性物品の一部破断上面図である。
【図２】本発明の一形態による吸収性物品のＩ−Ｉ線断面図である。
【図３】本発明の一形態による吸収性物品の機能を説明するための図である。
【図４Ａ】本発明の一形態による吸収性物品の斜方向圧搾部の位置を説明するための図である。
【図４Ｂ】本発明の一形態による吸収性物品の斜方向圧搾部の位置を説明するための図である。
【図５】本発明の一形態における斜方向圧搾部の拡大図である。
【図６】本発明の一形態における斜方向圧搾部の拡大図である。
【図７】本発明の一形態における斜方向圧搾部の拡大図である。
【図８】斜方向圧搾部の形状について説明するための図である。
【図９】本発明の一形態における斜方向圧搾部の拡大図である。
【図１０】本発明の別の形態による吸収性物品を示す図である。
【発明を実施するための形態】
【００２２】
以下、本発明の実施の形態について図面を参照しながら説明する。
【００２３】
吸収性物品１は、図１及び図２に示すように、不透液性の裏面シート２と、透液性の表面シート３と、これら両シート２、３間に設けられた吸収体４とを有する本体（吸収性物品本体）８とを備えている。吸収体４の形状保持等のために、吸収体４は、クレープ紙又は不織布等からなる被包シート５によって包まれていてもよい。
【００２４】
本体８は、図１に示すように、全体としては、前後方向に所定の長さを有する細長形状を有しており、前後方向と直交する方向に略一定の所定の幅を有している。そして、吸収性物品１は、前後方向に延びる中心線ＣＬに対し略線対称の形状になっている。また、吸収性物品１は、装着する際に体液排出口に対応させる領域（体液排出口対応領域）２０を含む中央領域Ｍと、中央領域Ｍの前方にある前方端部領域Ｆと、中央領域Ｍの後方にある後方端部領域Ｒとを有する。中央領域Ｍは、その両側方から延びるウィングＷＧを有している。前方端部領域Ｆは、ウィングＷＧの前方の起点となる位置から前方の領域であり、後方端部領域Ｒは、ウィングＷＧの後方の起点となる位置から後方の領域とすることができる。なお、本形態による吸収性物品１は、ウィングＷＧが設けられていない形態とすることもできる。
【００２５】
表面シート３側の両側部には、それぞれ前後方向（長手方向）に沿ってサイド不織布７が設けられている。サイド不織布７は、本体８の側方に部分的に突出し、同じく側方に突出する裏面シート２に積層され、ホットメルト等の接着剤やヒートシール、超音波シール等の接着手段によって接合されており、これにより、本体８の両側部にウィングＷＧが形成されている。
【００２６】
裏面シート２としては、ポリエチレンやポリプロピレン等のオレフィン系樹脂シート等の少なくとも遮水性を有するシート材を用いることができる。ポリエチレンシート等に不織布を積層したラミネート不織布や、さらには防水フィルムを介在させて実質的に不透液性を確保した不織布の積層シート等を用いることができる。また、ムレ防止の観点から透湿性を有するものが用いられることがさらに望ましい。このような遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートを用いることができる。
【００２７】
表面シート３は、経血、おりもの、尿等の体液を速やかに透過させる透液性のシートである。表面シート３としては、有孔又は無孔の不織布や多孔性プラスチックシート等が好適に用いられる。不織布を構成する素材繊維としては、例えば、ポリエチレン、ポリプロピレン等のオレフィン、ポリエステル、ポリアミド等の合成繊維、レーヨン、キュプラ等の再生繊維、及びこれらの混紡繊維、並びにコットン等の天然繊維を単独で又は２種以上組み合わせて用いることができる。また、不織布の加工法としては、スパンレース法、スパンボンド法、サーマルボンド法、メルトブローン法、ニードルパンチ法等が挙げられる。これらの加工法のうち、スパンレース法は柔軟性、スパンボンド法はドレープ性に富む不織布を製造できる点で好ましく、サーマルボンド法は嵩高でソフトな不織布を製造できる点で好ましい。また、融点の高い繊維を芯とし融点の低い繊維を鞘とした芯鞘型繊維、サイドバイサイド型繊維、分割型繊維などの複合繊維を用いることができる。
【００２８】
裏面シート２と表面シート３との間に介在される吸収体４は、体液を吸収して保持できる材料であれば限定されないが、綿状パルプと吸水性ポリマーとを含むことが好ましい。吸水性ポリマーとしては、高吸水ポリマー粒状粉（sｕｐｅｒａｂｓｏｒｂｅｎｔ  ｐｏｌｙｍｅｒ（ＳＡＰ））、高吸水ポリマー繊維（ｓｕｐｅｒａｂｓｏｒｂｅｎｔ  ｆｉｂｅｒ（ＳＡＦ））及びこれらの組合せを用いることができる。パルプとしては、木材から得られる化学パルプ、溶解パルプ等のセルロース繊維、レーヨン、アセテート等の人工セルロース繊維からなるものが挙げられる。化学パルプの原料材としては、広葉樹材、針葉樹材等が用いられるが、繊維長が長いこと等から針葉樹材が好適に使用される。
【００２９】
また、吸収体４には合成繊維を混合してもよい。合成繊維としては、ポリエチレン、ポリプロピレン等のポリオレフィン、ポリエチレンテレフタレート、ポリブチレンテレフタレート等のポリエステル、ナイロン等のポリアミド、及びこれらの共重合体を使用することができ、これらのうちの２種を混合して使用することもできる。また、融点の高い繊維を芯とし融点の低い繊維を鞘とした芯鞘型繊維、サイドバイサイド型繊維、分割型繊維などの複合繊維も用いることができる。なお、疎水性繊維を親水化剤で表面処理し、体液に対する親和性を付与したものを用いることもできる。
【００３０】
吸収体４の厚みは、０．５〜２５ｍｍの範囲内とすることができ、１．５〜６．５ｍｍの範囲であると好ましい。吸収体４は、前面にわたり均一な厚みを有していなくともよく、体液排出口対応領域２０等を膨出させた構造とすることもできる。また、吸収体４は、積繊又はエアレイド法によって製造されたものが好ましい。
【００３１】
サイド不織布７としては、撥水処理不織布又は親水処理不織布を使用することができる。例えば、経血やおりもの等が浸透するのを防止する効果又は肌触り感を高める場合は、シリコン系、パラフィン系、アルキルクロミッククロライド系撥水剤などをコーティングした撥水処理不織布を用いることが好ましい。また、ウィングＷＧにおける経血等の吸収性を高める場合には、不織布の材料として、親水処理された不織布を用いることが好ましい。不織布の種類としては、折り癖が付きにくく、シワに成りにくく柔らかいエアスルー不織布が好ましい。
【００３２】
ウィングＷＧの外縁には、サイド不織布７と裏面シート２との接合のため及び剛性を高める目的で、所定の箇所に、ドット状や所定の形状を有する圧搾部が設けられていてもよい。
【００３３】
吸収性物品１の全長は、１３〜４５ｃｍとすることができ、１４〜３６ｃｍであってよく、１７〜２７ｃｍとすることができる。吸収性物品１の全長が１７〜２７ｃｍである場合、吸収性物品１全体の構成又は本体８の構成を、前後対称とすることができる。
【００３４】
本形態の吸収性物品１には、複数の圧搾部（圧縮部、エンボスともいう）が設けられている。この圧搾部は、表面シート３から裏面シート２側に窪む凹部として形成されたものである。圧搾部は、吸収体４の上に表面シート３を積層させた積層体を、一対の加圧ロールの間に通過させることによって形成することができる。例えば、吸収体４と表面シート３との積層体を、表面シート３側及び吸収体４側に、凸状のロール及び平坦なロールがそれぞれ配置されるようにして通過させることができる。
【００３５】
吸収性物品１においては、圧搾部は、長手方向に延びる中心線（前後方向中心線）ＣＬを対称軸として線対称に形成されている。圧搾部としては、図１に示すように、本体８の前後方向に延びる前後方向中心線ＣＬを対称軸として線対称に、前後方向に延在するように形成された一対の前後方向圧搾部１１、１１が形成されている。図示の形態では、第１圧搾部１１、１１は、ほぼ中央領域Ｍにわたって前後方向に延在しているが、中央領域Ｍの範囲より狭い前後方向の範囲で、又は中央領域Ｍを前後に越えた範囲で設けられていてもよい。
【００３６】
吸収性物品１は、装着時には両側方から両脚からの力を受ける。この両脚からの力は、前後方向圧搾部１１、１１の前方及び後方にも伝わる。これにより、例えば前方領域Ｆの側部は後方へと引っ張られるため、前方領域Ｆ全体において引張り応力が生じて、身体の前側へ良好にフィットすることができない場合がある。
【００３７】
これに対し、本形態では、吸収性物品１の前方領域Ｆにおいて、前後方向中心線ＣＬを対称軸として線対称に、一対の斜方向圧搾部１２、１２が配置されている。この一対の斜方向圧搾部１２、１２はそれぞれ、前方に向かって外側に広がるように形成されており、さらに、斜方向圧搾部１２、１２の後端１２ａ、１２ａはそれぞれ、幅方向で見て、前後方向圧搾部１１、１１の内側に配置されている。このような一対の斜方向圧搾部１２、１２、特にその後端１２ａ、１２ａには応力が集中しやすくなっている。そのため、斜方向圧搾部１２、１２の後端１２ａ、１２ａを起点として、吸収性物品１を変形させることができる。
【００３８】
図３は、吸収性物品１の変形を模式的に示した図である。図３（ａ）（図３中央）は、吸収性物品１は図１に示したものと同じ吸収性物品の上面図である。図３（ｂ）（図３左側）は、装着時の吸収性物品１のＩＩ−ＩＩ断面を模式的に示した図であり、図３（ｃ）（図３下側）は、装着時の吸収性物品１のＩＩＩ−ＩＩＩ断面を模式的に示した図である。図３（ｂ）及び図３（ｃ）においては、装着前（変形前）の吸収性物品を１'の符号で示す。
【００３９】
上述のように、吸収性物品１は、装着時には両脚からの力（図においては白抜きの矢印で表示）を受けて両側方から押され、その両脚の押力によって、吸収性物品１は脚の丸みに沿うように変形する。その際、脚の押力が前後方向圧搾部１１、１１を介して前後方向に伝わり、前方領域Ｆの側部は斜め後方へと引っ張られることになる。このような力により、吸収性物品１の前方の部分は、斜方向圧搾部１２、１２を起点として、前後方向中心線ＣＬで切った断面（ＩＩＩ−ＩＩＩ線断面、図３（ｃ））で見て身体側（上側）へと立ち上がる。それと同時に、幅方向で切った断面（ＩＩ−ＩＩ線断面、図３（ｂ））で見て、前後方向中心線ＣＬ付近の領域が前方へ突出するように湾曲する。これにより、吸収性物品１の前方領域Ｆが、身体の前側の恥骨部の丸みに沿って三次元的に変形することができる。
【００４０】
本形態による斜方向圧搾部１２は、表面シート３及び吸収体４を共に圧搾することによって形成されたものであるので、表面シート３が吸収体４から浮いて吸収体４がヨレるといった問題も生じにくい。そのため、長時間の使用においても快適な装着感を得ることができる。
【００４１】
また、このように、吸収性物品１の前方領域Ｆが、身体の前側部分の丸みに沿って変形できることから、吸収性物品１の身体の前側部分への密着性が高まる。そのため、体液の漏れも良好に抑制することができる。
【００４２】
なお、斜方向圧搾部１２の後端１２ａが、幅方向で見て前後方向圧搾部１１の内側に配置されている、とは、斜方向圧搾部１２の後端１２ａから前後方向中心線ＣＬまでの幅方向の距離ｄと、前後方向圧搾部１１から前後方向中心線ＣＬまでの幅方向の最大距離Ｄとを比較した場合、後者が大きいことを含む（図１）。図１の形態では、一対の前後方向圧搾部１１、１１は、等しい間隔を置いて前後方向に直線的に延びているため、一対の前後方向圧搾部１１、１１間の距離の２分の１が、距離Ｄに等しくなっている。
【００４３】
一対の前後方向圧搾部１１、１１は、図４Ａ及び図４Ｂに示すように、湾曲している形状を有していてよい。図４Ａに示す形態では、一対の前後方向圧搾部１１、１１は、幅方向外側に膨らんだ形状を有している。この場合には、前後方向圧搾部１１の前後方向で見た中央における前後方向圧搾部１１、１１間の距離の２分の１が、上記距離Ｄとなっている。また、図４Ｂに示す形態では、一対の前後方向圧搾部１１、１１は、幅方向内側に括れた形状を有している。この場合には、前後方向圧搾部１１の前端又は後端における前後方向圧搾部１１、１１間の距離の２分の１が、上記距離Ｄとなっている。図４Ａ及び図４Ｂのいずれの形態においても、斜方向圧搾部１２の後端１２ａから前後方向中心線ＣＬまでの幅方向の距離ｄは、距離Ｄより小さくなっている。なお、図４Ａ及び図４Ｂは、前後方向圧搾部１１と斜方向圧搾部１２との位置関係を示すための図であり、これらの図においては一部の参照符号を省略している。
【００４４】
また、上記の斜方向圧搾部１２の後端１２ａが、幅方向で見て前後方向圧搾部１１の内側に配置されている、とは、斜方向圧搾部１２の後端１２ａの位置と、前後方向圧搾部１１の前端の位置とを幅方向で比較した場合、後者が前後方向中心線ＣＬにより近くなっていることを含んでいてもよい。なお、一対の前後方向圧搾部１１、１１の前方に、幅方向に延びる幅方向圧搾部１５が設けられていて一対の前後方向圧搾部１１、１１と幅方向圧搾部１５とが連結している場合（後述）には、前後方向圧搾部１１の前端は、連結部における曲率変化点とすることができる。その場合、斜方向圧搾部１２の後端１２ａの位置が、幅方向圧搾部１５の端部の位置より内側になる。
【００４５】
図５に、斜方向圧搾部１２の拡大図を示す。図５からも明らかであるように、斜方向圧搾部１２は、後端１２ａから前方に向かって外側に広がる形状を有している。この場合、斜方向圧搾部１２の後端１２ａを通り且つ斜方向圧搾部１２に接する２本の仮想線Ｘ１、Ｘ２を、これらの仮想線Ｘ１、Ｘ２によって形成される角度βが最大となるように引いた場合、その角度βを二分する傾斜中心線Ｙと、前後方向中心線ＣＬに直交する直線とがなす角度αが、２５〜８０°であると好ましく、４５〜７５°であるとより好ましい。角度αを上記範囲とすることによって、吸収性物品１の前方領域Ｆを、身体の前側の丸みに沿って変形させる効果をより良好に発揮させることができる。
【００４６】
斜方向圧搾部１２は、その後端１２ａが、前後方向中心線ＣＬから幅方向に１．０〜２．５ｃｍ離れるように配置されていると好ましく、１．５〜２．０ｃｍ離れるように配置されているとより好ましい。また、斜方向圧搾部１２の後端１２ａは、前後方向で見て、吸収性物品１の全長の中央、又は中央領域の中央において、前後方向中心線ＣＬと直交する線から５．０〜７．０ｃｍ離れていると好ましく、５．０〜６．０ｃｍ離れているとより好ましい。
【００４７】
図５の形態では、斜方向圧搾部１２は溝状であるので、上記傾斜中心線Ｙは、溝の幅の中央を通る中心線となっている。斜方向圧搾部１２が溝状である場合、斜方向圧搾部１２の長さは、５〜２０ｍｍ程度であると好ましい。
【００４８】
斜方向圧搾部１２は、溝状以外の形態であってもよく、例えば図６に示すように、所定の面積を有する形状、例えばハート形を有していてもよい。斜方向圧搾部１２が所定の面積を有する形状であると、その箇所の剛性が高まるため、湾曲の起点としての機能がより確実になる。
【００４９】
図６の形態でも、図４の形態で説明したように、斜方向圧搾部１２の後端１２ａを通り且つ斜方向圧搾部１２に接する仮想線Ｘ１、Ｘ２を、これらの仮想線Ｘ１、Ｘ２によって形成される角度βが最大となるように引いたとき、この角度βを二分する傾斜中心線Ｙと、前後方向中心線ＣＬに直交する直線とがなす角度αは２５〜８０°であると好ましく、４５〜７５°であるとより好ましい。
【００５０】
また、斜方向圧搾部１２は、図７に示すように、独立した圧搾部を複数含むものであってもよい。図示の形態では、２つのハート形の斜方向圧搾部１２'、１２''が傾斜中心線Ｙ上に並んで配置されている。この場合、複数の独立した斜方向圧搾部の形状や大きさは同じとすることもできるし、異ならせることもできる。
【００５１】
斜方向圧搾部１２の形状は、特に限定されず、上記の溝状（図５）、ハート形（図６、７）以外の形状であってよい。例えば、図８（ａ）〜（ｄ）にそれぞれ示すような、滴形、矢形、逆三角形、逆五角形等であってよい。図８（ａ）〜（ｄ）に示すように、斜方向圧搾部１２はそれぞれ、湾曲の起点となる後端１２ａを有している。
【００５２】
また、斜方向圧搾部１２は、図示のように、高圧搾部１２２と、その周囲に形成された高圧搾部１２２（黒色で表示）より浅い窪みを有する低圧搾部１２１（白色で表示）とを有していてもよい。低圧搾部１２１は、高圧搾部１２２の全体を囲むように形成されていてもよいし、高圧搾部１２２の輪郭の一部と低圧搾部１２１の輪郭の一部が重なりあっていてもよい。
【００５３】
図６〜図８に示す斜方向圧搾部１２の形状は、線対称となっている。そのため、上述の傾斜中心線Ｙ（斜方向圧搾部１２の後端１２ａを通り且つ斜方向圧搾部１２に接する２つの仮想線Ｘ１、Ｘ２によって形成される最大角度βを二分する線）は、斜方向圧搾部１２の対称線となっている。しかし、斜方向圧搾部１２の形状は、線対称になっていなくともよい。
【００５４】
図９に、別の形状を有する斜方向圧搾部１２の拡大図を示す。図９の形態では、斜方向圧搾部１２はハート形状であるが、ハート形状自体が線対称ではない。図９の形態のように斜方向圧搾部１２の形状が線対称でない場合、線対称の図形（図６等）と比較して幅方向外側の領域がより大きくなっていると好ましい。
【００５５】
図６〜図９に示す形態においては、斜方向圧搾部１２の後端１２ａのみならず、前端１２ｂも、幅方向で見て、前後方向圧搾部１１の内側に配置されているが、前端１２ｂは、前後方向圧搾部１１の外側にあってもよい。しかし、斜方向圧搾部１２の後端１２ａと前端１２ｂとが共に、幅方向で見て、前後方向圧搾部１１の内側に配置されていることによって、前方領域Ｆの側部において、斜方向圧搾部１２が肌に当って違和感が生じることを防止することができる。なお、斜方向圧搾部１２の前端１２ｂは、上述の傾斜中心線Ｙ上における傾斜方向圧搾部１２の前方の端部を指す。
【００５６】
図１の形態では、一対の前後方向圧搾部１１、１１の前方に、幅方向に延びる幅方向圧搾部（前方幅方向圧搾部）１５が設けられている。このような前方幅方向圧搾部１５が設けられていることにより、この溝状の圧搾部が折れの起点になるため、装着時に、吸収性物品１の前方領域Ｆを身体の前側へ向けてより容易に湾曲させることができる。また、前方幅方向圧搾部１５によって、前方への体液の漏れを防止することもできる。
【００５７】
斜方向圧搾部１２は、前方幅方向圧搾部１５と連結していてもよいし連結していなくともよい。しかし、図１等に示すように、斜方向圧搾部１２と前方幅方向圧搾部１５とが連結せず、互いに離間している場合には、体液が前方幅方向圧搾部１５を伝って拡散し、漏れることを防止することができる。その場合、離間する距離は、２．０ｍｍ以上であると好ましい。また、離間する距離は、前方幅方向圧搾部１５による折れとの関係から、１０ｍｍ以下であると好ましい。
【００５８】
なお、図１の形態では、一対の前後方向圧搾部１１、１１の後方には、幅方向に延びる幅方向圧搾部（後方幅方向圧搾部）１６が設けられている。本形態では、これらの一対の前後方向圧搾部１１、１１は、その前方で前方幅方向圧搾部１５にそれぞれ連結されており、その後方で後方幅方向圧搾部１６にそれぞれ連結されていて、これにより、環状の溝状圧搾部が形成されている。このように、連結された圧搾部が形成されることにより、主に体液排出口対応領域２０に排出される体液の漏れを全方向で防止することができる。
【００５９】
以上においては、斜方向圧搾部１２が前方領域Ｆのみに形成されている場合について説明したが、斜方向圧搾部１２は、後方領域Ｒにも形成されていてもよい。その場合、後方領域Ｒに形成される一対の第２斜方向圧搾部は、幅方向で見て前後方向圧搾部１１、１１の内側に配置されて身体に丸みに合せて湾曲するという効果を奏する限り、前方領域Ｆに形成されている一対の斜方向圧搾部１２、１２とは同じ形状、大きさ、及び／又は配置であってもよいし、異なっていてもよい。
【００６０】
図１０に、本発明の別の形態の吸収性物品１Ａを示す。吸収性物品１Ａは、圧搾部の構成が異なる点で、図１に示す吸収性物品１と異なっている。吸収性物品１には、一対の前後方向圧搾部１１Ａ、１１Ａが形成されており、その前方に、前方に向かって外側に広がる斜方向圧搾部１２Ａ、１２Ａが設けられている。さらに、一対の前後方向圧搾部１１Ａ、１１Ａの後方において、第２斜方向圧搾部１３Ａ、１３Ａが形成されている。一対の前後方向圧搾部１１Ａ、１１Ａの前方及び後方には、それぞれ前方幅方向圧搾部１５Ａ及び後方幅方向圧搾部１６Ａが形成されており、一対の前後方向圧搾部１１Ａ、１１Ａ、前方幅方向圧搾部１５Ａ、及び後方幅方向圧搾部１６Ａは連結して環状の圧搾部が形成されている。図１０に示すように、吸収性物品には、体液の漏れの抑制や身体にフィットさせるための形状の変形を容易にするために、環状の圧搾部の内側に追加的に、圧搾部群１７Ａ、１８Ａ、内側環状圧搾部１９Ａ等を形成することができる。
【符号の説明】
【００６１】
１、１Ａ  吸収性物品
２  裏面シート
３  表面シート
４  吸収体
５  被包シート
７  サイド不織布
８、８Ａ  本体（吸収性物品本体）
１１、１１Ａ  前後方向圧搾部
１２、１２'、１２''、１２Ａ  斜方向圧搾部
１２ａ  斜方向圧搾部１２の後端
１２ｂ  斜方向圧搾部１２の前端
１３Ａ  第２斜方向圧搾部
１５、１５Ａ、１６、１６Ａ  幅方向圧搾部
２０、２０Ａ  体液排出口対応領域
１２１  低圧搾部
１２２  高圧搾部
ＣＬ  吸収性物品１、１Ａの前後方向中心線
Ｆ  前方領域
Ｍ  中央領域
Ｒ  後方領域
Ｘ１、Ｘ２  仮想線
Ｙ  傾斜中心線
ＷＧ  ウィング
【図１】
2018166923.tif 000003
【図２】
2018166923.tif 000004
【図３】
2018166923.tif 000005
【図４Ａ】
2018166923.tif 000006
【図４Ｂ】
2018166923.tif 000007
【図５】
2018166923.tif 000008
【図６】
2018166923.tif 000009
【図７】
2018166923.tif 000010
【図８】
2018166923.tif 000011
【図９】
2018166923.tif 000012
【図１０】
2018166923.tif 000013